(57)【要約】【課題】延出長さが同一である一対のカシメ片を有する圧着部に、外径寸法の異なる２本の電線を固着する。【解決手段】後端部にオープンバレル状の圧着部３３が形成されたアース用端子金具３０と、圧着部３３を構成し、基板部３８の左右両側縁から同じ長さで延出した第１及び第２カシメ片３９，４０と、基板部３８と第１カシメ片３９に包囲された状態で固着される第１電線１０と、第１電線１０よりも外径寸法が小さく、基板部３８と第２カシメ片４０に包囲された状態で固着される第２電線２０とを備え、第２カシメ片４０の延出端部４０Ｅが、第１電線１０の外周に当接している。【選択図】図４
2018037138.tif 000002
【特許請求の範囲】
【請求項１】
後端部にオープンバレル状の圧着部が形成されたアース用端子金具と、
前記圧着部を構成し、基板部の左右両側縁から同じ長さで延出した第１及び第２カシメ片と、
前記基板部と前記第１カシメ片とによって包囲された状態で、前記圧着部に固着される第１電線と、
前記第１電線よりも外径寸法が小さく、前記基板部と前記第２カシメ片によって包囲された状態で、前記圧着部に固着される第２電線とを備え、
前記第２カシメ片の延出端部が、前記第１電線の外周に当接していることを特徴とするアース用導電路。
【請求項２】
前記第１カシメ片と前記第２カシメ片が、前後方向に位置ずれして配されていることを特徴とする請求項１記載のアース用導電路。
【請求項３】
前記第２カシメ片のうち前記第１電線と前記第２電線との間の橋渡し部が、前記基板部側へ膨らむように湾曲していることを特徴とする請求項１又は請求項２記載のアース用導電路。
【請求項４】
前記第１カシメ片が前記第２電線と非接触であることを特徴とする請求項１ないし請求項３のいずれか１項に記載のアース用導電路。
【発明の詳細な説明】
【技術分野】
【０００１】
本発明は、アース用導電路に関するものである。
【背景技術】
【０００２】
特許文献１には、アース用端子の後端部に形成した圧着部に、２本の電線の前端部を固着したアース用導電路が開示されている。圧着部は、基板部の左右両側縁から一対のカシメ片を延出させたオープンバレル状をなす。一方の電線には一方のカシメ片が包囲するようにカシメ付けられ、他方の電線には他方のカシメ片が包囲するようにカシメ付けられている。
【先行技術文献】
【特許文献】
【０００３】
【特許文献１】特開平０８−２５０１６５号公報
【発明の概要】
【発明が解決しようとする課題】
【０００４】
圧着部は、一対のカシメ片が左右対称な形状をなしていて、２本の電線の外径が同じ寸法であることを想定したものである。そのため、外径寸法の異なる２本の電線を圧着した場合、細い方の電線を包囲するカシメ片の延出端が基板部に突き当たり、細い電線を確実に固着できなくなることが懸念される。
【０００５】
この対策としては、２本の電線の外径寸法に応じて一対のカシメ片の長さを設定すればよいのであるが、そうすると、外径寸法の異なる２本の電線の組合せの数に応じて、アース用端子の種類数を増やさなければならず、コストアップを来すことになる。
【０００６】
本発明は上記のような事情に基づいて完成されたものであって、延出長さが同一である一対のカシメ片を有する圧着部に、外径寸法の異なる２本の電線を固着することを目的とする。
【課題を解決するための手段】
【０００７】
本発明のアース用導電路は、
後端部にオープンバレル状の圧着部が形成されたアース用端子金具と、
前記圧着部を構成し、基板部の左右両側縁から同じ長さで延出した第１及び第２カシメ片と、
前記基板部と前記第１カシメ片とによって包囲された状態で、前記圧着部に固着される第１電線と、
前記第１電線よりも外径寸法が小さく、前記基板部と前記第２カシメ片によって包囲された状態で、前記圧着部に固着される第２電線とを備え、
前記第２カシメ片の延出端部が、前記第１電線の外周に当接しているところに特徴を有する。
【発明の効果】
【０００８】
細い方の第２電線を包囲する第２カシメ片の延出端部は、基板部に突き当たるのではなく、太い方の第１電線の外周に当接しているので、第２カシメ片の固着力は第２電線に付与される。本発明によれば、外径寸法の異なる第１電線と第２電線を固着することができる。
【図面の簡単な説明】
【０００９】
【図１】実施例１のアース用導電路の平面図
【図２】アース用導電路の部分拡大側面図
【図３】図１のＸ−Ｘ線断面図
【図４】図１のＹ−Ｙ線断面図
【発明を実施するための形態】
【００１０】
本発明のアース用導電路は、前記第１カシメ片と前記第２カシメ片が、前後方向に位置ずれして配されていてもよい。この構成によれば、第１カシメ片と第２カシメ片との干渉を回避できる
本発明のアース用導電路は、前記第２カシメ片のうち前記第１電線と前記第２電線との間の橋渡し部は、前記基板部側へ膨らむように湾曲していてもよい。この構成によれば、第２カシメ片と第２電線との接触領域と、第２カシメ片と第１電線との接触領域が増えるので、第２カシメ片による固着力が高められる。
【００１１】
本発明のアース用導電路は、前記第１カシメ片は、前記第２電線と非接触であってもよい。この構成によれば、第２電線が第１カシメ片によって傷付けられることがない。
【００１２】
＜実施例１＞
以下、本発明を具体化した実施例１を図１〜図４を参照して説明する。尚、以下の説明において、前後の方向については、図１，２における左方を前方と定義する。上下の方向については、図２〜３にあらわれる向きを、そのまま上方、下方と定義する。左右の方向については、図１における上側を右側と定義する。したがって、図３，４では、左右の向きが逆となっている。
【００１３】
本実施例１のアース用導電路Ａは、１本の第１電線１０と、１本の第２電線２０と、１つのアース用端子金具３０とを備え、これらを一体化したものである。第１電線１０は、第１導体１１を第１絶縁被覆１２で包囲した被覆電線である。第１電線１０の前端部においては、第１絶縁被覆１２が除去されて第１導体１１が露出している。第２電線２０は、第２導体２１を第２絶縁被覆２２で包囲した被覆電線である。第２電線２０の前端部においては、第２絶縁被覆２２が除去されて第２導体２１が露出している。第２電線２０（第２絶縁被覆２２）の外径寸法は第１電線１０（第１絶縁被覆１２）の外径寸法より小さい。
【００１４】
アース用端子金具３０は、所定形状に打ち抜かれた金属板材に曲げ加工等を施して成形された単一部品である。アース用端子金具３０は、その前端側領域に配されたアース用接続部３１と後端側領域に配されたオープンバレル状の圧着部３３とを備えている。アース用接続部３１は、水平な平板状をなし、板厚方向に貫通する円形の取付孔３２を有している。アース用接続部３１を接地部（図示省略）に面当たり状態で当接させ、取付孔３２に挿通したボルト（図示省略）とナット（図示省略）とを締め付けることにより、アース用端子金具３０が接地部に対し導通可能に接続されるようになっている。
【００１５】
圧着部３３は、アース用接続部３１の後端に連なるワイヤバレル部３４と、ワイヤバレル部３４の後端に連なるインシュレーションバレル部３７とから構成されている。ワイヤバレル部３４は、アース用接続部３１の後端部から後方へ面一状に延出した底板部３５と、底板部３５の左右両側縁から片持ち状に延出した左右対称な一対のカシメ片３６とから構成されている。
【００１６】
第１導体１１は、底板部３５の右側領域と右側のカシメ片３６とで包囲されることにより、ワイヤバレル部３４に導通可能に固着されている。第２導体２１は、底板部３５の左側領域と左側のカシメ片３６とで包囲されることにより、ワイヤバレル部３４に導通可能に固着されている。第１導体１１と第２導体２１とは非接触状態の位置関係にあり、第１導体１１と第２導体２１との間には、図１に示すように、隙間Ｓが空いている。尚、第１導体１１と第２導体２１は、直接、接触した状態で固着されていてもよい。
【００１７】
インシュレーションバレル部３７は、底板部３５の後端から後方へ面一状に延出した略平板状の基板部３８と、基板部３８の右側縁における前端側領域から片持ち状に延出した第１カシメ片３９と、基板部３８の左側縁における後端側領域から片持ち状に延出した第２カシメ片４０とを備えて構成されている。前後方向において第２カシメ片４０は、第１カシメ片３９の後端よりも後方に配されている。基板部３８からの第１カシメ片３９の延出寸法（第１電線１０に固着された状態における周方向の寸法）と、基板部３８からの第２カシメ片４０の延出寸法（第１電線１０に固着された状態における周方向の寸法）は、概ね（実質的に）同じ寸法である。
【００１８】
第１電線１０のうち第１絶縁被覆１２の前端部は、基板部３８と第１カシメ片３９とで包囲された状態でインシュレーションバレル部３７に固着されている。第１絶縁被覆１２（第１電線１０）をインシュレーションバレル部３７に固着する加工は、自動機（図示省略）による圧着工程で行われる。圧着の際には、基板部３８における右側領域に第１絶縁被覆１２が載置され、基板部３８の右側縁部が上方へ持ち上げられるように変形するとともに、第１カシメ片３９が第１絶縁被覆１２に対しその上方から覆うように変形させられ、第１絶縁被覆１２が基板部３８と第１カシメ片３９との間で上下に挟み付けられる。
【００１９】
この変形により、図３に示すように、基板部３８と第１カシメ片３９が、第１絶縁被覆１２に対し、その外周のうち概ね３／４周に亘って包囲した状態で固着される。これにより、第１絶縁被覆１２（第１電線１０）とインシュレーションバレル部３７が前後方向（軸線方向）への相対変位を規制された状態に保持される。固着状態では、第１カシメ片３９の延出端部３９Ｅは、第２電線２０（第２絶縁被覆２２）に向かって延出しているが、第２絶縁被覆２２の外周には接触していない。
【００２０】
第２電線２０のうち第２絶縁被覆２２の前端に近い部分は、基板部３８と第２カシメ片４０とで包囲された状態でインシュレーションバレル部３７に固着されている。第２絶縁被覆２２（第２電線２０）をインシュレーションバレル部３７に固着する加工は、第１電線１０と同様、自動機（図示省略）による圧着工程で行われる。圧着の際には、基板部３８における左側領域に第２絶縁被覆２２が載置され、基板部３８の左側縁部が上方へ持ち上げられるように変形するとともに、第２カシメ片４０が、第２絶縁被覆２２に対しその上方から覆うように変形させられ、第２絶縁被覆２２が基板部３８と第２カシメ片４０との間で上下に挟み付けられる。
【００２１】
これにより、図４に示すように、基板部３８と第２カシメ片４０が、第２絶縁被覆２２の外周のうち概ね２／３周に亘って包囲した状態で固着される。これにより、第２絶縁被覆２２（第２電線２０）とインシュレーションバレル部３７とが前後方向（軸線方向）への相対変位を規制された状態に保持される。固着状態では、第２カシメ片４０の延出端部４０Ｅの内面が、第１電線１０（第１絶縁被覆１２）の外周に押圧状態で当接している。第２カシメ片４０は第１カシメ片３９より後方に配されているので、第２カシメ片４０の延出端部４０Ｅが第１カシメ片３９と干渉することはない。
【００２２】
また、第１絶縁被覆１２と第２絶縁被覆２２とは非接触状態の位置関係にあり、第１絶縁被覆１２と第２絶縁被覆２２との間には隙間Ｓが空いている。第２カシメ片４０のうち第２絶縁被覆２２と第１絶縁被覆１２との間の領域は橋渡し部４１となっている。この橋渡し部４１は、基板部３８に向かって膨らむように湾曲している。即ち、橋渡し部４１は、第１絶縁被覆１２と第２絶縁被覆２２との間の隙間Ｓに入り込むような略弧状をなしている。したがって、橋渡し部４１が平板状をなして第１絶縁被覆１２と第２絶縁被覆２２に対して接線状の位置関係となっている場合に比べると、本実施例１の橋渡し部４１は、第１絶縁被覆１２及び第２絶縁被覆２２に対する固着面積（接触面積）が大きい。
【００２３】
上述のように本実施例１のアース用導電路Ａは、後端部にオープンバレル状の圧着部３３が形成されたアース用端子金具３０と、第１電線１０と、第１電線１０より細い第２電線２０とを備える。圧着部３３のインシュレーションバレル部３７は、基板部３８の左右両側縁から概ね（実質的に）同じ長さで延出した第１及び第２カシメ片４０を備えて構成されている。第１電線１０は、その第１絶縁被覆１２を基板部３８と第１カシメ片３９とで包囲された状態で、インシュレーションバレル部３７に固着されている。第２電線２０は、その第２絶縁被覆２２を基板部３８と第２カシメ片４０とで包囲された状態で、インシュレーションバレル部３７に固着されている。
【００２４】
第２カシメ片４０によって包囲される第２電線２０は第１電線１０に比べて外形寸法が小さいことから、第２カシメ片４０の延出端部４０Ｅが余長分となる。そのため、第２カシメ片４０の延出端部４０Ｅが、両絶縁被覆１２，２２の隙間Ｓに入り込んで基板部３８の上面に突き当たり、その結果、第２絶縁被覆２２に対する第２カシメ片４０の固着力が不十分となることが懸念される。
【００２５】
しかし、本実施例１では、第２カシメ片４０の延出端部４０Ｅが、両絶縁被覆１２，２２の隙間Ｓに入り込まずに、太い方の第１電線１０（第１絶縁被覆１２）の外周に対し面当たり状態で当接しているので、第２カシメ片４０の固着力が第２電線２０に対して十分に付与される。したがって、本実施例１のアース用導電路Ａによれば、基板部３８からの延出長さが概ね（実質的に）同一である第１カシメ片３９と第２カシメ片４０とを有する圧着部３３（インシュレーションバレル部３７）に、外径寸法の異なる２本の電線１０，２０を固着することを実現できる。
【００２６】
また、第２カシメ片４０のうち第１電線１０と第２電線２０との間の橋渡し部４１は、基板部３８側へ膨らむように湾曲しているので、第２カシメ片４０と第２電線２０（第２絶縁被覆２２）との接触領域と、第２カシメ片４０と第１電線１０（第１絶縁被覆１２）との接触領域（固着領域）が増える。これにより、第２カシメ片４０による固着力が高められており、第１電線１０と第２電線２０をインシュレーションバレル部３７に確実に固着することができる。
【００２７】
また、第１カシメ片３９と第２カシメ片４０は、前後方向に位置ずれして配されているので、第１カシメ片３９と第２カシメ片４０が干渉することはない。これにより、第２カシメ片４０の延出端部４０Ｅを確実に第１絶縁被覆１２の外周に当接させることができる。また、第１電線１０と第２電線２０を圧着部３３に固着（圧着）した状態では、第１カシメ片３９が第２電線２０と非接触であるから、第２電線２０の第２絶縁被覆２２が第１カシメ片３９によって傷付けられることがない。
【００２８】
＜他の実施例＞
本発明は上記記述及び図面によって説明した実施例に限定されるものではなく、例えば次のような実施例も本発明の技術的範囲に含まれる。
（１）上記実施例１では、第１カシメ片が第２電線と接触しないようにしたが、第１カシメ片が第２電線と接触又は押圧するようにしてもよい。
（２）上記実施例１では、第２カシメ片のうち第１電線と第２電線との間の橋渡し部が基板部側へ膨らむように湾曲しているが、橋渡し部は、湾曲せず、ほぼ平板状であってもよい。
（３）上記実施例１では、第１カシメ片と第２カシメ片が前後方向に位置ずれして配されているが、第１カシメ片と第２カシメ片は、前後方向においてほぼ同じ位置に配されていてもよい。
（４）上記実施例１では、第１絶縁被覆と第２絶縁被覆が非接触状態の位置関係にあり、両絶縁被覆の間に隙間が空いているが、第１絶縁被覆と第２絶縁被覆は、直接、接触した状態で固着されていてもよい。
（５）上記実施例１では、第２カシメ片の延出端部が第１電線の外周に当接す構成をインシュレーションバレル部のみに適用したが、第２カシメ片の延出端部が第１電線の外周に当接する構成は、インシュレーションバレル部とワイヤバレル部の両方に適用してもよく、ワイヤバレル部のみに適用してもよい。
【符号の説明】
【００２９】
Ａ…アース用導電路
１０…第１電線
２０…第２電線
３０…アース用端子金具
３３…圧着部
３８…基板部
３９…第１カシメ片
４０…第２カシメ片
４０Ｅ…第２カシメ片の延出端部
４１…橋渡し部
【図１】
2018037138.tif 000003
【図２】
2018037138.tif 000004
【図３】
2018037138.tif 000005
【図４】
2018037138.tif 000006